(57)【要約】      （修正有）【課題】小粒のフェライト永久磁石と小円形の絆創膏とで構成された肩凝り等治療用の貼付用磁器治療器を、自分の手の届かない背中等へ自分で貼付することを可能とする。【解決手段】一方を短く一方を長く略Ｕ字形に曲げ加工した金属丸棒１の、短い方の端部に、中心部にフェライト永久磁石と略同径の永久磁石丸棒を埋設固着した貼付用磁器治療器保持用部材を固着し、その外側に、外観が円柱状の人体押付け用部材２を装着し、その内側はばねストッパとの間にコイルばねを装着した形態とする。金属丸棒１の長い方の端部は、握り用部材を固着した形態とする。貼付用磁器治療器を、フェライト永久磁石と永久磁石丸棒の吸引力によって保持させ、人体押付け用部材２を、背中等の肩凝り部に押し当ててから、握り用部材を強く引っ張り、貼付用磁器治療器保持用部材３を人体に押し付けることで、貼付用磁器治療器が絆創膏の接着力で人体に貼付される。【選択図】図１
0003101645.tif 000002
【実用新案登録請求の範囲】
【請求項１】
小粒のフェライト永久磁石を、小円形の絆創膏の接着剤面の中央部に貼付固着した肩凝り等治療用の貼付用磁器治療器を、自分の手の届かない背中等へ自分で貼付するための貼付用具であって、一方を短く一方を長く略Ｕ字形に曲げ加工した金属丸棒（１）の両端に、貼付用具としての必要部材を装着した形態とするものとし、金属丸棒（１）の短い方の端部は、円柱状の外周端部に溝を９０度間隔で４カ所形成すると共に、中心部に貼付用磁器治療器のフェライト永久磁石と略同径の永久磁石丸棒（４）を埋設して接着により固着した、プラスチック製の貼付用磁器治療器保持用部材（３）を金属丸棒（１）に横貫通ピンと接着により固着し、その外側に、回転と縦移動に適したはめあい寸法で、内側に貼付用磁器治療器保持用部材（３）の４カ所の溝に挿入可能な寸法の突起を１８０度間隔で２カ所形成した、外観が円柱状のプラスチック製の人体押付け用部材（２）を装着し、その内側は、金属丸棒（１）に横貫通ピンと接着により固着したプラスチック製のばねストッパ（６）との間に、コイルばね（５）を装着した形態とする。一方、金属丸棒（１）の長い方の端部は、プラスチック製の握り用部材（７）を金属丸棒（１）に横貫通ピンと接着により固着した形態とする。
以上の形態としたことを特徴とする貼付用磁器治療器の貼付用具。
【考案の詳細な説明】
【技術分野】
【０００１】本考案は、小粒のフェライト永久磁石を、小円形の絆創膏の接着剤面の中央部に貼付固着した肩凝り等治療用の貼付用磁器治療器を、自分の手の届かない背中等へ自分で貼付することを可能とする貼付用磁器治療器の貼付用具に関するものである。
【背景技術】
【０００２】従来は、貼付用磁器治療器を、自分の手の届かない背中等へ、自分で貼付するための適当な貼付用具がなかったので、他人の手を借りざるを得なかった。
【考案の開示】
【考案が解決しようとする課題】
【０００３】本考案が解決しようとする課題は、貼付用磁器治療器を、自分の手の届かない背中等へ、自分で貼付することを可能とすることである。
【課題を解決するための手段】
【０００４】課題を解決するための手段として、本考案は、貼付用磁器治療器を、自分の手の届かない背中等へ、自分で貼付することを可能とする貼付用磁器治療器の貼付用具を提供するものである。
【考案の効果】
【０００５】本考案により、貼付用磁器治療器の貼付用具を提供することで、肩凝り性の人々が、自分の手の届かない背中等の肩凝りを、他人の手を借りずに、いつでも気軽に、自分で治療できるという効果を奏するものである。
【考案を実施するための最良の形態】
【０００６】小粒のフェライト永久磁石を、小円形の絆創膏の接着剤面の中央部に貼付固着した肩凝り等治療用の貼付用磁器治療器（図３及び図４参照）を、自分の手の届かない背中等へ、自分で貼付することを可能とする貼付用磁器治療器の貼付用具に関して、本考案による最良の実施形態は、図１、図２、図３、図４及び図５に示すように、一方を短く一方を長く略Ｕ字形に曲げ加工した金属丸棒１の両端に、貼付用具としての必要部材を装着した形態とするものであり、金属丸棒１の短い方の端部は、円柱状の外周端部に溝を９０度間隔で４カ所形成すると共に、中心部に貼付用磁器治療器のフェライト永久磁石と略同径の永久磁石丸棒４（又は鉄丸棒）を埋設して接着により固着した、プラスチック製の貼付用磁器治療器保持用部材３を金属丸棒１に横貫通ピン（図示省略）と接着により固着し、その外側に、回転と縦移動に適したはめあい寸法で、内側に貼付用磁器治療器保持用部材３の４カ所の溝に挿入可能な寸法の突起を１８０度間隔で２カ所形成した、外観が円柱状のプラスチック製の人体押付け用部材２を装着し、その内側は、金属丸棒１に横貫通ピン（図示省略）と接着により固着したプラスチック製のばねストッパ６との間にコイルばね５を装着した形態とする。一方、金属丸棒１の長い方の端部は、プラスチック製の握り用部材７を金属丸棒１に横貫通ピン（図示省略）と接着により固着した形態とする。【０００７】次に、前記した本考案による貼付用磁器治療器の貼付用具の使用方法について説明する。図２に示すように、使用していない状態の貼付用具を、先ず初めに、図３に示すように、人体押付け用部材２を縦移動させると共に、略４５度回転させ、人体押付け用部材２の突起が貼付用磁器治療器保持用部材３の溝から抜け出て貼付用磁器治療器保持用部材３の底部に乗り上げるようにすることで、貼付用磁器治療器保持用部材３が人体押付け用部材２から少し飛び出した状態となる。そこで、貼付用磁器治療器の絆創膏の接着剤面の裏側を貼付用磁器治療器保持用部材３に軽く押し付け、貼付用磁器治療器を、フェライト永久磁石と永久磁石丸棒４の吸引力によって保持させる。【０００８】ここで、貼付用磁器治療器の絆創膏の剥離紙を剥がしてから、人体押付け用部材２を、略４５度回転させると共に、コイルばね５の反発力で縦移動させて、図４に示すように、貼付用磁器治療器保持用部材３が人体押付け用部材２の中に引っ込んだ状態に戻す。【０００９】次に、片手で握り用部材７を握って、人体押付け用部材２を背中等に押し当てて、肩凝り部を探り当ててから、握り用部材７を強く引っ張り、貼付用磁器治療器保持用部材３を人体に強く押し付けることで、貼付用磁器治療器が絆創膏の接着力で人体に貼付されることとなる。ここで、貼付用具を人体から引き離すことで、フェライト永久磁石と永久磁石丸棒４の吸引力が解放され、貼付作業は終了したこととなる。
【産業上の利用可能性】
【００１０】本考案による貼付用磁器治療器の貼付用具が、実用化に成功すれば、自分の手の届かない背中等の肩凝りを、いつでも気軽に治療できる道具として、肩凝り性の人々の間に普及することで、産業上の商品となり得るものと考える。
【図面の簡単な説明】
【００１１】
【図１】本考案による貼付用磁器治療器の貼付用具の実施形態と、使用方法を示す説明図である。
【図２】図１のＡ部詳細断面図であり、使用していない状態を示す説明図である。
【図３】図１のＡ部詳細断面図であり、貼付用磁器治療器を保持させた状態を示す説明図である。
【図４】図１のＡ部詳細断面図であり、貼付用磁器治療器を人体に貼付する直前の状態を示す説明図である。
【図５】図１のＢ部詳細断面図であり、握り用部材の装着状態を示す説明図である。
【符号の説明】
【００１２】    １  金属丸棒
２  人体押付け用部材
３  貼付用磁器治療器保持用部材
４  永久磁石丸棒
５  コイルばね
６  ばねストッパ
７  握り用部材
【図１】
0003101645.tif 000003
【図２】
0003101645.tif 000004
【図３】
0003101645.tif 000005
【図４】
0003101645.tif 000006
【図５】
0003101645.tif 000007